(57)【要約】【課題】避難時の移動をより容易な大規模施設を提供する。【解決手段】複数階層のコンコース３を有するスタジアムの外壁部を固定外壁部５と可動外壁部４とから構成し、上記可動外壁部４の下部を固定外壁部５に対して上下に回動可能な状態で支持させる。可動外壁部４の上部に対し、ワイヤ６の一方の端部を固定し、そのワイヤ６の他端部側はウインチ７に巻き付けられていると共に、そのウインチ７は天井躯体に固定される。可動外壁部４の下部は、上記４階のコンコース３ｂと連通可能な位置に設けられる。【選択図】        図１
2008025191.tif 000002
【特許請求の範囲】
【請求項１】
複数階層のコンコースを有するスタジアムなどの大規模施設であって、その大規模施設の外壁部を固定外壁部と可動外壁部とから構成し、上記可動外壁部の下部を固定外壁部に対して上下に回動可能な状態で支持させ、その可動外壁部の上部に対し、ワイヤの一方の端部を固定し、そのワイヤの他端部側は巻回装置に巻き付けられていると共に、その巻回装置は躯体に固定され、更に、上記可動外壁部の下部上面は、上記複数階層のコンコースの所定のコンコースと連通可能な位置に設けられていることを特徴とする大規模施設。
【請求項２】
上記可動外壁部を、外壁面が斜め下方を向いている部分に設けることを特徴とする請求項１に記載した大規模施設。
【請求項３】
巻回装置によってワイヤを巻き戻すことで、可動外壁部は、その下部を中心にして上部が下方に移動し、上記上部が下側の床面に当接した状態では、可動外壁部の内面が斜めのスロープを形成することを特徴とする請求項１または請求項２に記載した大規模施設。
【請求項４】
上記可動外壁部の内面には、階段が形成されていることを特徴とする請求項１〜請求項３のいずれか１項に記載した大規模施設。
【請求項５】
上記階段を構成する踏み板の少なく一部には足下を照らす照明器具が設けられていることを特徴とする請求項４に記載した大規模施設。
【発明の詳細な説明】
【技術分野】
【０００１】
本発明は、サッカーなどの球技やコンサートなどのイベントを開催するために使用される大規模なスタジアムや多目的用途の施設などの、複数階層のコンコースを備える大規模施設に関する。
【背景技術】
【０００２】
スタジアムは、例えば特許文献１に記載のような施設である。この文献に記載のように、一般に、スタジアムの内側には、イベントエリアを囲むようにしてスタンド（観覧席）がすり鉢状に設けられている。このスタンドは、所定高さ毎にスタンドに連通するコンコースが、つまり複数階層のコンコースを備える。また、各コンコース及びエントランスは、上下に延びる階段室内に設けられた階段にて行き来が可能となっている。
【特許文献１】特開２０００−２７４１００号公報
【発明の開示】
【発明が解決しようとする課題】
【０００３】
上記コンコースは、特許文献１にも記載されているように、災害時における主要な避難通路を構成し、各コンコースから階段室内の階段を使用して避難することになる。
本発明は、このような点に着目してなされたもので、避難時の移動をより容易にすることを課題としている。
【課題を解決するための手段】
【０００４】
上記課題を解決するために、本発明のうち請求項１に記載した発明は、複数階層のコンコースを有するスタジアムなどの大規模施設であって、その大規模施設の外壁部を固定外壁部と可動外壁部とから構成し、上記可動外壁部の下部を固定外壁部に対して上下に回動可能な状態で支持させ、その可動外壁部の上部に対し、ワイヤの一方の端部を固定し、そのワイヤの他端部側は巻回装置に巻き付けられていると共に、その巻回装置は躯体に固定され、更に、上記可動外壁部の下部上面は、上記複数階層のコンコースの所定のコンコースと連通可能な位置に設けられていることを特徴とするものである。
【０００５】
次に、請求項２に記載した発明は、請求項１に記載した構成に対し、上記可動外壁部を、外壁面が斜め下方を向いている部分に設けることを特徴とするものである。
次に、請求項３に記載した発明は、請求項１または請求項２に記載した構成に対し、巻回装置によってワイヤを巻き戻すことで、可動外壁部は、その下部を中心にして上部が下方に移動し、上記上部が下側の床面に当接した状態では、可動外壁部の内面が斜めのスロープを形成することを特徴とするものである。
【０００６】
次に、請求項４に記載した発明は、請求項１〜請求項３のいずれか１項に記載した構成に対し、上記可動外壁部の内面には、階段が形成されていることを特徴とするものである。
次に、請求項５に記載した発明は、請求項４に記載した構成に対し、上記階段を構成する踏み板の少なく一部には足下を照らす照明器具が設けられていることを特徴とするものである。
【発明の効果】
【０００７】
本発明によれば、可動外壁部の上部を下方に旋回させて下側の床面に当接させることで、所定の高さ位置のコンコースと下側の床面との間の移動が、上記可動外壁部を通じても可能となり、移動通路の選択自由度が増加する。
このとき、請求項２に係る発明によれば、上記可動外壁部を、外壁面が斜め下方を向いている部分に構築することで、可動外壁部の上部を下方に旋回させて降ろしても、当該可動外壁部が、外方に張り出すことを防止、若しくは張出量を小さく抑えられる。
【０００８】
また、請求項３に係る発明によれば、斜めのスロープを構成する可動外壁部の内面を通じて、所定高さ位置のコンコースと下側の床面（例えば施設の外部）とが行き来できるようになる。
また、請求項４のように、可動外壁部の内面に階段が設けることで、当該階段によって行き来が可能となる。
このとき、請求項５のように証明器具を設けておくことで、周りが暗くなった状態であっても、階段が見やすくなり安全性が向上する。
【発明を実施するための最良の形態】
【０００９】
次に、本発明の実施形態について図面を参照しつつ説明する。大規模施設としてスタジアムを例に挙げて説明するが、他の多目的施設などの大規模施設であってもよい
（構成）
図１は、本実施形態に係るスタジアムの一部を示す概要構成図である。
すなわち、イベント空間１を囲むようにしてスタンド２が配置されている。スタンド２は、上下に沿って複数の階層に区分され、各階のコンコース３にそれぞれ連絡可能となっている。
【００１０】
本実施形態では、３階コンコース３ａは、外部に開放された床面を形成する。また、その３階より上側のスタジアムの外壁部の外壁面は、斜め下方に向いて、上記３階コンコース３ａの床面と対向配置されている。
その３階より上側のスタジアムの外壁部は、図２に示すように、周方向に沿って、複数の箇所が可動外壁部４を構成する。なお、可動外壁部４以外の外壁部分が固定外壁部５となる。
【００１１】
上記可動外壁部４は、外部からみて縦長に設定され、その横幅は例えば５ｍに設定する。その可動外壁部４は、その下部の高さ位置を、４階コンコース３ｂとほぼ同じ高さの外壁部に設定され、上端部が５階コンコース３ｃ近傍に設定されている。
上記可動外壁部４の下部は、固定外壁部５の躯体フレームに、水平な回転軸周りに回転可能な状態で支持されている。図３にその可動外壁部４を示す。
また、可動外壁部４の上端部の左右両端部には、それぞれ個別にワイヤ６の下端部が固定されている。各ワイヤ６は上方に延び、天井躯体部に設置されている巻回装置であるウインチ７に巻回されている。
その可動外壁部４の内面には、図３に示すように、延び方向に沿って階段８が形成されている。
【００１２】
上記ウインチ７のモータを稼働させて、ワイヤ６を巻き戻すと、可動外壁部４は、その自重によって当該可動外壁部４の上部が下方に移動するように旋回して、当該可動外壁部４の上部が、３階コンコース３の床面に当接する。この状態では、可動外壁部４の内面は斜めに延びるスロープを形成し、そのスロープの全面もしくは一部に上記階段８が形成されている。なお、図示していないが、手すりなどを適宜設けておく。
このように可動外壁部４を下側に降ろした状態では、図４のように、階段８の各踏み板８ａは上面を向くように設定され、この踏み板８ａの先端下部には、下方に向けて明かりを照射可能な照明器具９が設けられている。
【００１３】
（作用・効果）
上述のような、上下に複数階層のコンコース３を有するような大規模なスタジアムにおいて、観客が各高さのスタンド２から建物外部に移動する際に、各可動外壁部４を下方に降ろす。これによって、たとえば４階のコンコース３ｂに移動した観客は、不図示の階段室内の階段を通じて下方に移動できるとともに、一部の観客は上記可動外壁部４を通じて３階コンコース３ａに移動することが出来る。これによって、例えば災害時の避難通路の選択自由度が増加し、スムーズな移動が可能となる。
【００１４】
なお、上記可動外壁部４を使用した移動は、必ずしも災害時の避難通路としてだけ使用可能なわけではない。例えば、イベントが終了したときの移動通路として利用しても良い。
また、上記可動外壁部４は、外壁面が斜め下方を向く部分に構築しているので、可動外壁部４を下方に降ろした際に、図１や図２のように、可動外壁部４はほぼ真下に移動して、外方に張り出すことが無い。また、旋回角度も小さく済む。ここで、垂直面を構成する外壁面部分に可動外壁部を構成しても良いが、降ろした際の可動外壁部４の斜めのスロープ角度を考慮すると、当該可動外壁部４が外方に大きく張り出してしまい。公共道路などの他の施設との干渉を考慮する必要がある。
【００１５】
また、照明器具９を設けているので、可動外壁部４の階段８を使用して昇降する際に周りが暗くても足下が照らされることで安全性が増す。なお、図１では、可動外壁部４の上方からも照明器具１０で可動外壁部４の階段８を明るくすると共に、可動外壁部４の下方も照明器具１１で照らすことを、降ろした可動外壁部４の下側の床面も暗くならないようにしている。
【００１６】
ここで、上記実施形態では、ウインチ７を可動外壁部４の上部よりも上方に配置した例を示しているが、これに限定されない。例えば、可動外壁部４の上部よりも上方にプーリを配置し、そのプーリを介してウインチ７に巻回されるようにすればウインチ７は可動外壁部４の上部よりも下側に配置されていても良い。
また、可動外壁部４の外壁面の下側の床面を、３階コンコース３ａとしているが、これに限定されない。可動外壁部４の外壁面の下側の床面を、建物外部の床面にしても良い。また、上記可動外壁部４の外壁面の下側の床面を構成するコンコースが外部に開放されていなくても良い。
【図面の簡単な説明】
【００１７】
【図１】本発明に基づく実施形態に係るスタジアムの部分断面図である。
【図２】本発明に基づく実施形態に係る可動外壁部の位置を示す斜視図である。
【図３】本発明に基づく実施形態に係る可動外壁部の移動を示す図である。
【図４】本発明に基づく実施形態に係る可動外壁部内面に設ける階段を示す図である。
【符号の説明】
【００１８】
２  スタンド
３  コンコース
４  可動外壁部
５  固定外壁部
６  ワイヤ
７  ウインチ（巻回装置）
８  階段
８ａ  踏み板
９  照明器具
【図１】
2008025191.tif 000003
【図２】
2008025191.tif 000004
【図３】
2008025191.tif 000005
【図４】
2008025191.tif 000006